(57)【要約】  例えば、ＣＤ−ＲＯＭ等の光情報キャリア（１）の使用は、コンピュータ装置に対してディスクへの情報の読み出しおよび記憶を完了させることを可能にするために必要とされる制御データを記憶する情報またはデータ保持構造の一部分（８）に接着された防護部材（９）の取り外しにより、単一のコンピュータ装置内へのその内容の読み出しおよび記憶を制限されている。防護部材（９）により保持される独特で秘密の識別コードのコンピュータ装置への入力により、このコンピュータ装置は、読み出しおよび記憶動作を再開して完了することが可能となっており、これに対して、防護部材（９）の取り外しにより変形された制御データが有効に使用できなくなることに基づいて、異なるコンピュータ装置によるその情報を読み出して記憶させるその後の試みは失敗するであろう。
2005513692.tif 000002
【特許請求の範囲】
【請求項１】
相対的に硬質で透明な材料よりなる円形ディスク形状をした基板部材と、この基板部材の一方側の表面に設けられた情報担持層とを備え、前記基板部材に面している側に反射面および複数の情報またはデータ担持構造を提供する光情報キャリアであって、前記担持構造に記憶された情報はコンピュータ装置に有用な情報を入力して記憶させるために該コンピュータ装置の光読み出しシステムにより読み出し可能であり、前記情報は前記有用な情報に加えて前記コンピュータ装置の入力および記憶動作のために求められる制御データを含み、前記制御データは前記層における所定の位置に前記情報またはデータ担持構造のサブセットとして制限されている光情報キャリアであって、
取り外し可能な防護部材が、前記情報またはデータ担持構造の前記サブセットの一部分を含む情報担持層の一部分にボンドにより接着されることにより、前記防護部材の取り外しにより前記制御データの読み出し可能性を除去するための前記サブセットの前記一部分に記憶された前記反射面および／または前記制御データを変形させ、前記防護部材は独特で秘密の識別コードを保持し、前記取り外しによってのみユーザに対してアクセス可能とされ、前記制御データはコンピュータ装置に前記識別コードを入力するようにユーザを案内すると共に、前記防護部材の入力が完了するまでに前記コンピュータへの前記有用な情報の入力を遮断させることを特徴とする光情報キャリア。
【請求項２】
前記防護部材は、情報担持層に粘着性を持って接着されるラベル状の部材を備えていることを特徴とする請求項１に記載の情報キャリア。
【請求項３】
前記ラベル状の部材と情報担持層の前記一部分との間の接着ボンドは、前記識別コードを露出するために、前記部分の分離を許容することを特徴とする請求項２に記載の情報キャリア。
【請求項４】
請求項１ないし３に記載された光情報キャリアを製造する方法であって、
相対的に硬質で透明な材料の円形ディスク形状の基板部材を提供し、
前記基板部材の一面に情報担持層と設けて、この層はその側面に前記基板部材に面する反射面と複数の情報またはデータ担持構造を提供し、
前記構造に情報を記憶させて、この情報はコンピュータ装置の光読み出しシステムにより、有用な情報を前記コンピュータ装置へ入力して記憶させるために、読み出し可能であり、前記情報は前記有用な情報に加えて、前記コンピュータ装置緒入力および記憶動作のために求められる制御データを含み、前記制御データは前記層の所定の位置に対して前記情報およびデータ担持構造のサブセットを制限させるステップを備えるものにおいて、
独特で秘密の識別コードを保持する防護部材を提供し、
前記防護部材を前記情報およびデータ担持層の一部分に接着して、前記反射面および／または前記サブセットの一部分に記憶された制御データの変更が、前記防護部材の取り外しにより、前記制御データの読み出し可能性を除去させるボンドにより、前記サブセットの前記一部分を含み、
前記コンピュータ装置がユーザに対して前記識別コードを入力させると共に、前記防護コードの入力が完了されてしまうまで前記コンピュータの前記有用な情報の入力を遮断させるように案内させる情報を含むように前記制御情報を構成する、更なるステップを備えることを特徴とする方法。
【請求項５】
前記構成するステップは、前記識別コードの入力の完了のために前記ユーザに対する前記案内の後に、特定の時間遅延の前記制御情報への包含を含むことを特徴とする請求項４に記載の方法。
【請求項６】
請求項１ないし３に記載の光情報キャリアの使用方法であって、
コンピュータ装置の光読み出しシステム内に前記光情報キャリアを挿入し、
前記独特で秘密の識別コードの入力を要求する光情報キャリア上の前記３つの情報のサブセットとデータ構造内に含まれている制御データにより、前記コンピュータ装置を制御し、
前記光情報キャリアを前記光読み出しシステムから取り出し、
前記光情報キャリアから前記防護部材を剥がし、
前記防護部材に保持された前記独特の識別コードにアクセスして、前記コードを前記コンピュータ装置に入力させて、前記コンピュータ装置に前記有用な情報の入力と記憶とを可能にさせる、ステップを備える方法。
【請求項７】
前記制御ステップは、前記要求後の特定の時間遅延内に、前記取出ステップ、剥離ステップ、アクセスステップ、入力ステップが完了され、このような時間遅延の経過の後に前記情報キャリアに関する更なる動作から前記コンピュータが動作できない状態にされるような、前記コンピュータ装置の制御を含むことを特徴とする請求項６に記載の方法。
【発明の詳細な説明】
【技術分野】
【０００１】
本発明は、光情報媒体の保護に係り、特に、例えばコンピュータ装置とりわけパーソナルコンピュータのような単一の再生装置に対して情報の合法的な使用を制限することを目的として、情報媒体の情報またはデータ構造に格納された情報内容の許可されていないコピーに対する光情報媒体、とりわけＣＤやＣＤ−ＲＯＭディスクの保護に関する。
【背景技術】
【０００２】
ＣＤまたはＣＤ−ＲＯＭディスクの形態をとる光情報媒体は、大衆に非常な人気となってきていると共に、音楽、コンピュータソフトウェア製品、コンピュータゲーム等を含む種々のタイプの情報のための記憶媒体を広く用いるようになってきている。
【０００３】
正規で合法的な売買においては、ＣＤ−ＲＯＭディスク上の情報コンテンツは、単一のユーザのみによる使用のために提供されており、許可されていないコピーによる情報コンテンツの不正な使用は、非営利的で私的な使用の形態による小規模のものでも、商業目的のための現実としては著作権法違反の商売の形態による大規模なものでも、その両方で大きな問題となってきている。
【０００４】
コピー商売の本質に関係なく、コピーおよび著作権侵害の問題は、音楽およびコンピュータソフトウェア産業にとっては、結果として大きな経済的な損失を招いていた。
【０００５】
著作権侵害と闘うために、ソフトウェアの制作者達は、情報の暗号化、特別なデータのフォーマッティング、複雑なインストール手順およびほんの僅かを記述するだけのパスワードの使用を含む多数の異なる解決策を発展させたり実施したりしている。したがって、保護のための習慣的な方策は、コンピュータ読取可能な識別コードを情報媒体の上に加えるため、また、正規で合法的な販売の取引の過程では購買者にとって受け入れ可能な形態における同一のコードを供給するため行なわれており、これにより、このような保護のために情報媒体を搭載［load―ロード―］されたコンピュータは、ユーザの操作により識別コードを入力された後に、格納された情報コンテンツを読み出すことを可能とするようになるだけであろう。明らかに、購買するユーザおよびこれと同様にこのユーザと関係する他のユーザによる販売の取引の一部として提供された識別コードの繰り返しの使用を防止することができないという意味では、このコンセプトにより提案された保護は不満足である。
【０００６】
さらに、識別コードによりたとえ保護されているといっても、ＣＤ−ＲＯＭディスクのコンテンツの直接コピーを可能にする、相対的に簡単な種々のプログラムは、インターネットからダウンロードすることが可能である。このタイプのコピー用のソフトウェアは、ＣＤ−ＲＯＭ上に格納されたコードを簡単に特定の用途に適用できるように変更し、コンピュータにそのＣＤ−ＲＯＭ上の全ての情報コンテンツを読み出しを可能にすることを必要とする制御データを生成する。
【０００７】
著作権侵害に対抗する働きかけとしての従来技術の使用に含まれる他の問題は、情報媒体の別の方法で受け入れ可能な使用に求められる限定や制限によるこれらの方策の最終的なユーザの広く行き渡っている抵抗が存在し、このような制限は「購入前のテスト」、合法的なバックアップ用のコピーの生成の限定、さらに、ひとたびパスワードまたは識別コードが公表されまたは発見されたならば、パスワード保護の失敗、に対する不可能さを具体的に含んでいる。最終的なユーザに受け入れられるためのコピー保護の概念の失敗は、多くの場合に産業や商業が保護の努力を放棄してしまい、著作権法により守るべき顧客の保護に依存するため選択されるというこのような深刻な問題として見出されていた。
【０００８】
これらの問題に対する解決手法を提供するための試みにおいて、コピー保護方法は国際特許出願ＷＯ９８／４１９７９に既に開示されており、この文献は、光記憶媒体上の符号化された情報の受け入れ可能性に関する目的のある変形に一般的に基づいている。この概念の種々の示唆される実施において、１つの実施形態は装置の提供により光記憶媒体の変形へと導かれるものであり、この装置は、媒体上の情報の内容が最初にアクセスされたときに、光媒体に対して目的をもって損傷を与えており、これにより、その後の情報アクセスの試みに基づいて、先行するアクセスは検出エラーの目的のある発生により検出することが可能である。光記憶媒体に損傷を与えるために用いられる装置は、この記録媒体に対して密着するリブコード［ribcord―筋状の帯紐―］の形状であっても良く、最初の使用の最中では、将来の違法コピーを防止するために情報媒体に対して故意の衝撃を与えるためにユーザにより相互に引き離されなくてはならない。
【０００９】
しかしながら、この解決法においては衝撃を与える装置を相互に引き離すことは情報内容の全部を最初の読み出しで終了した後に効果を奏することができるだけであるので、この方法はリブコードの非分離の選択肢を残すことにより、改善されたまたは満足のいく保護については如何なる保護も提供せず、したがって、異なるコンピュータ上で同一または異なるユーザにより記憶媒体を無制限に使用することを可能としている。
【発明の概要】
【００１０】
上記のように要点を述べた背景において、この発明の目的は、先行技術の欠点や不利益が避けられ、または少なくとも顕著に低減され、情報媒体の合法的な使用が単一のコンピュータでの単独のユーザによる単一の使用に制限されて、バックアップコピーの形成を依然として防止ながらもその後の不正流用を防止することにより、合法的なコピーに対して述べられる種類の光情報キャリア［担体］の保護に対する相対的に簡単で、複雑に錯綜しておらずまた費用のかからない解決法を提供するにある。
【００１１】
この発明の第１の構成［アスペクト―aspect―］において、相対的に硬質で透明な材料よりなる円形ディスク形状をした基板部材と、この基板部材の一方側の表面に設けられた情報担持層とを備え、前記基板部材面している側に反射面および複数の情報またはデータ担持構造を提供する光情報キャリアであって、前記担持構造に記憶された情報はコンピュータ装置に有用な情報を入力して記憶させるために該コンピュータ装置の光読み出しシステムにより読み出し可能であり、前記情報は前記有用な情報に加えて前記コンピュータ装置の入力および記憶動作のために求められる制御データを含み、前記制御データは前記層における所定の位置に前記情報またはデータ担持構造のサブセットとして制限されているものである。
【００１２】
上述した目的を達成するために、この発明によれば、このような情報キャリアは、取り外し可能な防護部材が、前記情報またはデータ担持構造の前記サブセットの一部分を含む情報担持層の一部分にボンドにより接着されることにより、前記防護部材の取り外しにより前記制御データの読み出し可能性を除去するための前記サブセットの前記一部分に記憶された前記反射面および／または前記制御データを変形させ、前記防護部材は独特で秘密の識別コードを保持し、前記取り外しによってのみユーザに対してアクセス可能とされ、前記制御データはコンピュータ装置に前記識別コードを入力するようにユーザを案内すると共に、前記防護部材の入力が完了するまでに前記コンピュータへの前記有用な情報の入力を遮断させることを特徴としている。
【００１３】
この情報キャリアの使用において、ユーザはＣＤ−ＲＯＭディスクのようなキャリアをユーザ所有のコンピュータのＣＤ−ＲＯＭドライブのような光読み出しシステム内に最初に装填して、その後、制御データの読み出しを開始させる。このキャリアに組み入れられている制御情報およびデータ内に組み入れられている識別コードの検出により、コンピュータは読み出しプロセスを中断させるであろうし、ユーザに対して、防護部材を取り外すために光読み出しシステムから情報キャリアを除去すると共に、例えばキーボードを介してコンピュータに識別コードを入力させるため識別コードにアクセスするようにユーザに案内するメッセージを表示して、コンピュータに対して、ソフトウェアアプリケーションまたはコンピュータゲームのような、有用な情報形成部分をその中に含む情報キャリアの全部の情報の内容の読み出しを再開して完了することを可能にしている。
【００１４】
防護部材の取り外しにより、情報およびデータ担持構造内に最初に記憶されている制御データの読み出し可能性が除去されるであろうし、異なるコンピュータによる情報キャリアへのその後の試みがうまくいかなくなるであろうが、これはこのようなコンピュータに対して読み出しプロセスを処理することを可能にするために必要とされる制御データがもはや効力を有することも読み出し可能であることもなくなるからである。
【００１５】
簡単かつ好適な実施形態においては、防護部材は情報またはデータ担持層に粘着性を持って接着されるラベルのような部材を備えていても良く、例えば、透明な基板部材に面していない情報またはデータ担持層の側を従来より覆っている保護層の部分を形成することによっても良い。
【００１６】
情報キャリアの購入の際にはユーザーから隠されていなくてはならない情報コードは、例えば、情報担持層に接着された防護ラベルの側で、防護部材と共に除去されるこの層の一部分の裏の、英数字の文字の印刷された連続の形状で提供される。
【００１７】
識別コードにアクセスするために、前記ラベルのような部材と情報担持層の前記一部分との間の接着ボンドは、前記情報担持層とラベルのような部材それ自身との切り離し部分の分離を許容するように適用されていることが好ましく、これは、例えば剥離することにより、識別コードを露出するために、識別コードを保持している。これと選択的に、この技術分野の公知の削り落とし技術をこの目的のために用いることも可能であろう。
【００１８】
この発明の第２の構成［アスペクト］によれば、光情報担体を製造する方法は、
相対的に硬質で透明な材料の円形ディスク形状の基板部材を提供し、
前記基板部材の一面に情報担持層と設けて、この層はその側面に前記基板部材に面する反射面と複数の情報またはデータ担持構造を提供し、
前記構造に情報を記憶させて、この情報はコンピュータ装置の光読み出しシステムにより、有用な情報を前記コンピュータ装置へ入力して記憶させるために、読み出し可能であり、前記情報は前記有用な情報に加えて、前記コンピュータ装置緒入力および記憶動作のために求められる制御データを含み、前記制御データは前記層の所定の位置に対して前記情報およびデータ担持構造のサブセットを制限させる、ステップを備えている。
【００１９】
この発明によれば、この方法は、
独特で秘密の識別コードを保持する防護部材を提供し、
前記防護部材を前記情報およびデータ担持層の一部分に接着して、前記反射面および／または前記サブセットの一部分に記憶された制御データの変更が、前記防護部材の取り外しにより、前記制御データの読み出し可能性を除去させるボンドにより、前記サブセットの前記一部分を含み、
前記コンピュータ装置がユーザに対して前記識別コードを入力させるとと共に、前記防護コードの入力が完了されてしまうまで前記コンピュータの前記有用な情報の入力を遮断させるように案内させる情報を含むように前記制御情報を構成する、ステップを備えている。
【００２０】
この方法の好適な実施形態によれば、構成するステップによる前記制御情報に含まれる情報は、ユーザに対する案内の表示後の時間遅延を含んでいても良く、この時間遅延内で情報担持体からの防護部材の剥離と識別コードの露出および入力が完了されなければならない。３０ないし６０秒が可能である、このような時間遅延により、異なるコンピュータ装置における情報キャリアの不法な使用に対する保護は更に改善されるであろう。
【００２１】
さらに、この発明の第３の構成［アスペクト］によれば、この発明はまた、上記の光情報キャリアの使用に関連して、
コンピュータ装置の光読み出しシステム内に前記光情報キャリアを挿入し、
前記独特で秘密の識別コードの入力を要求する光情報キャリア上の前記３つの情報のサブセットとデータ構造内に含まれている制御データにより、前記コンピュータ装置を制御し、
前記光情報キャリアを前記光読み出しシステムから取り出し、
前記光情報キャリアから前記防護部材を剥がし、
前記防護部材に保持された前記独特の識別コードにアクセスして、前記コードを前記コンピュータ装置に入力させて、前記コンピュータ装置に前記有用な情報の入力と記憶とを可能にさせる、ステップを備えている。
【００２２】
この動作方法の好適な実施形態によれば、制御するステップは、前記要求後の特定の時間遅延内に、前記取出ステップ、剥離ステップ、アクセスステップ、入力ステップが完了され、このような時間遅延の経過の後に前記情報キャリアに関する更なる動作から前記コンピュータが動作できない状態にされるような、前記コンピュータ装置の制御を含んでいても良い。
【発明の実施の形態】
【００２３】
以下、添付図面を参照しながら、この発明についてさらに詳細に説明する。
【００２４】
図示された実施において、この発明に係る光情報キャリアは、例えばパーソナルコンピュータなどのコンピュータ装置のＣＤ−ＲＯＭドライブの回転駆動機構に装着するための中心孔２を有する、円形で相対的に薄いＣＤ−ＲＯＭディスク１である。
【００２５】
この技術分野で公知のように、ＣＤ−ＲＯＭディスクは具体的には、このディスクの基本的な保護構造の役目を果たす例えばポリカーボネイトのような透明で相対的に硬質な樹脂材料よりなる円形で板状の基板部材３より構成されている。
【００２６】
基板部材３の一面側には、相対的に薄い情報保持層４が基板部材に対して適用されている。この情報保持層４は、反射金属層であり、ここには、いわゆる、ランド［land―平坦部―］５およびピット［pit―溝、窪み―］６の形状を有する複数の情報およびデータ保持構造が、ディスク１の周縁側から中心孔２方向に伸びる単一のスパイラル［spiral―螺旋状の―］トラックに沿って形成されている。この技術分野で公知のように、情報およびデータ保持構造を提供するスパイラルトラックにおける隣接する巻線［windings―巻線状の溝―］の相互の分離は、ＣＤ−ＲＯＭディスクの周知の大きな記憶能力を提供するためには、およそ０．６μｍにまで小さくしても良い。
【００２７】
その厚さが約１μｍであっても良い情報およびデータ保持層４は、従来のスタンピングプロセスにより基板部材３へ接着されていても良く、これにより、ピット６は基板部材３の透明材料の中に圧入されている。従来、情報およびデータ保持構造を形成するランド５とピット６とのレベル［段］差は、以下に説明するような読み出し動作のために用いられるレーザビームより取り出される１／４波長と等しくなっている。
【００２８】
読み出し動作の間に、ディスク１はパーソナルコンピュータのＣＤ−ＲＯＭドライブにより一定の線形速度での回転運動を引き起こされ、その上、読み出しは、ディスク１の周辺部から中心に向かうレーザ光源の半径方向の伝播の間に情報およびデータ保持構造のランド５のレベルに合焦されたレーザ光の検索ビームの手段により実行されている。したがって、ディスク１の回転の角速度は、一定の線形速度での検出を実現するために、検索用のレーザビームがディスク１の周辺部から中心へと移動するのに伴って増加している。衝突する検索ビームに応答して反射層４により戻される光パルスは、“１”と“０”の２進数［ビット］がランド５とピット６からそれぞれ反射されてくる光に、例えば対応していても良い、デジタルデータへと変換される。
【００２９】
基板部材３に面するのを避ける［反対面］側には、情報およびデータ保持層が保護被膜７により具体的には覆われており、基板部材３に面するのを避ける面の外側には、コンピュータソフトウェアまたはコンピュータゲームのようなＣＤ−ＲＯＭディスクのコンテンツ［内容］を識別して説明するために次の情報が提供されている。
【００３０】
層４の情報およびデータ保持構造に記憶された情報は、ディスク１に格納されているソフトウェアアプリケーションまたはコンピュータゲームの内容に関係する実用本位の情報に加えて、読み出し動作の適切な処理を可能にすると共に、読み出し動作により得られた光または光学的な情報の変換により生成されるディジタル情報の入力と記憶とを可能にするためにコンピュータ装置により必要とされる、制御データをもまた含んでいる。したがって、読み出し動作の間に、制御データは、有意義な読出しと実用本位の情報の記憶の前に、コンピュータに最初にアクセスして入力されなくてはならない。
【００３１】
従来、この制御データは、ディスク１上の所定の画定された場所的配置によって、層４内の情報およびデータ保持構造のサブセットに収容されている。最も一般的には、制御データは、図１に概略的に示されるように、ディスク１の周囲の直ぐ内側に設けられると共におよそ１２０ｍｍのディスクの直径の外側から例えば６ｍｍの幅を有する相対的に狭い周縁領域８に収容されるであろう。しかしながら、この制御データは、例えば中心孔２の周囲の情報保持層の最も内側の部分のような、ディスクの所定の場所的な位置に限定されていても良い。
【００３２】
この発明によれば、ＣＤ−ＲＯＭディスク１は、独特で秘密の識別コードを保持することにより一般的に示される取り外し可能な防護部材９を備えており、これは、ＣＤ−ＲＯＭディスク内に記憶されている実用本位の情報の読み出しを完了することができる前に、ＣＤ−ＲＯＭディスク１からの防護部材９の取り外しによってのみユーザによりアクセス可能であると共にコンピュータ内へのユーザにより装着されなくてなならない。同時に、防護部材９のＣＤ−ＲＯＭディスクからの取り外しは、記憶されている情報をうまく読み出すためにコンピュータが必要とする制御データの少なくとも一部分の除去または接触可能性の破壊の原因となるであろうし、これにより、異なるコンピュータでのＣＤ−ＲＯＭディスクのその後の使用を防止することができる。
【００３３】
図３の拡大図に最も分かり易く示されているように、取り外し可能な防護部材９は、図示された実施形態においては、ディスク１の周縁に示されている場合には制御データが収容されている層の情報およびデータ保持構造のサブセットを被覆する領域８における保護被覆７と同じ大きさの部分に置き換わるように制限された大きさのラベル状部材を備えている。
【００３４】
このラベル状部材９は、粘着性のボンドにより情報およびデータ保持層４に接着されていても良いので、ラベル状防護部材９の取り外しは、情報およびデータ保持反射層４の下地部分の除去の原因となるであろう。
【００３５】
図４および図５に示されているように、独特で秘密の識別コード１１は、例えば英数字の制限された文字の連続の形態で、情報およびデータ保持層４に対面するラベル状防護部材９の側に設けられていても良い。したがって、防護部材９を取り除く前に、識別コード１１は視認可能したがってユーザに対して読取可能とはならないであろう。防護部材９の取り外しの後は、識別コード１１は、これと共に除去される反射金属層４の一部分により少なくとも部分的に依然として被覆されているであろう。識別コードの露出のために、防護部材９と反射層４との間の接着ボンドは、接着ボンドなしで取り外された防護部材９の狭い縁の領域１２を残す面積に閉じ込められるであろうし、そのため、剥ぎ取りにより識別コード１１を覆う反射層の除去を許容している。もう１つの方法として、この技術分野では公知の削り落とし技術を識別コードを被覆している反射層を除去するために用いることができるであろう。この除去を容易にするために、防護部材は、反射層４に接着されていない相対的に小さく突出する摘み用フラップ［flap：小片］に設けられるようにしても良い。
【００３６】
この発明の更に本質的な特徴として、ディスク１の情報およびデータ保持構造に記憶された制御データは、情報を含むように構造化され、組織化されていなくてはならず、コンピュータ装置を動作可能にさせるための制御データの最初の読み出しに関連して、この制御データは、コンピュータ装置が読み出し動作をできないようにしているので、実用本位の情報はこのときにはコンピュータ装置内に収容されないが、防護部材を取り除いて、例えばキーボード操作等によりコンピュータ内へ識別コードを入れるために識別コードにアクセスするためにこの発明はＣＤ−ＲＯＭドライブからＣＤ−ＲＯＭディスクを取り出してユーザの元へ運ばれている。明らかに、制御データはまた、キーボードを介して、ユーザにより入力されたコードと比較するための識別コードそれ自身を含んでいなくてはならない。制御データは更にユーザに対する案内を表示した後の時間遅延を含んでおり、この時間内に、ＣＤ−ＲＯＭドライブからのディスクの取り外し、防護部材の取り外しおよび識別コードの露出と入力が完了されなくてはならず、コマンドはこの時間遅延の経過に基づく情報保持体に関するコンピュータ装置の動作を不可能にしている。
【００３７】
このようにして構成された制御データは、ＣＤ−ＲＯＭディスクの情報およびデータ保持構造内に記憶されるべき全ての情報およびデータコンテンツの一部分を形成すると共にこのディスクの製造の間に情報およびデータ保持層４内に記憶される。
【００３８】
図６の流れ図に示されているように、この発明に係る光情報担体の使用に含まれる動作の連続は、コンピュータ装置のＣＤ−ＲＯＭドライブへのＣＤ−ＲＯＭディスクのローディングにより開始するであろうし、その後、制御データを読み出すであろう。このような結果として、コンピュータ装置は、ディスク内に記憶されている実用本位の情報の更なる読み出しを禁止して、ユーザに対してＣＤ−ＲＯＭディスクをドライブから取り出すように案内し、識別コードにアクセスするための防護部材を取り外させて、識別コードを入力させその後コンピュータ内に露出されるようにするであろうし、例えば、上述したように特定の時間遅延のうちに、もしも識別コードが入力されていなかったとしたならば、ＣＤ−ＲＯＭディスクに関するコンピュータ装置の動作が不可能となるであろう時間が経過した後に行なわれるであろう。
【００３９】
ウィンドウズ（登録商標）アプリケーションにおいては、この案内は、識別コードを入力させるための特定の領域を含むウィンドウ内にこの案内を表示することにより具体的には与えられるであろうし、これは、コンピュータ装置により、制御情報の一部分として既に記憶されている識別コードと比較されるであろう。
【００４０】
その後、ＣＤ−ＲＯＭディスクをドライブ内に再ローディングすることにより、コンピュータ装置は読み出し動作をまさに完了して、このＣＤ−ＲＯＭ内に記憶されているソフトウェアアプリケーションまたはコンピュータゲームに関連する完全な実用本位の情報を記憶するであろう。
【００４１】
ＣＤ−ＲＯＭの完全なコンテンツは、最初の場所に入力されていたコンピュータ装置におけるバックアップコピーの生成を含む将来の使用のために役立つであろうが故に、異なるコンピュータ装置でＣＤ−ＲＯＭを使用するその後の試みは不可能となるであろうし、これは実用本位の情報にアクセスするためコンピュータにより必要とされる制御データがコンピュータに対して記憶されている実用本位の情報の読出しを禁止する限界に対して損害を与えるようになるであろうことを理由としている。
【図面の簡単な説明】
【００４２】
【図１】この発明を実施化するＣＤ−ＲＯＭの形状の光情報キャリアを示す正面図である。
【図２】図１のII−II線に沿った情報キャリアの一部分を示す拡大断面図である。
【図３】図２におけるIIIで示されるフレーム内の部分を示す拡大断面図である。
【図４】図１〜図３に示される情報キャリアから剥がされる防護部材の拡大断面図である。
【図５】図１〜図３に示される情報キャリアから剥がされる防護部材の拡大平面図である。
【図６】この発明によるコピー防止情報キャリアの使用を示す流れ図である。
【図１】
2005513692.tif 000003
【図２】
2005513692.tif 000004
【図３】
2005513692.tif 000005
【図４】
2005513692.tif 000006
【図５】
2005513692.tif 000007
【図６】
2005513692.tif 000008
【国際調査報告】
2005513692.tif 000009
2005513692.tif 000010
2005513692.tif 000011